(57)【特許請求の範囲】
【請求項１】
コイルブロックの上面を被覆する電気的導通を防止するフィルムと、
このフィルムの一端を電池プラス端子と電池マイナス端子で挟持する挟持手段と、
を備えてなるコイルブロック保護構造を有する電子時計。
【請求項２】
前記フィルムが、樹脂またはゴム等の非導通部材から成り、その厚みが、０．０２５ｍｍ〜０．２ｍｍであることを特徴とする請求項１記載のコイルブロック保護構造を有する電子時計。
【発明の詳細な説明】
【０００１】
【発明の属する技術分野】
本発明は、コイルブロック保護構造を有する電子時計に関し、より詳しくは、そのコイルブロック上面をフィルムで被覆してそのコイルブロックを保護するコイルブロック保護構造を有する電子時計に関する。
【０００２】
【従来の技術】
従来のコイルブロック保護構造を有する電子時計では、樹脂等の絶縁材料をそのコイルブロック表面にコーティングして保護層を形成した保護構造、あるいはコイルブロック以外の部品、例えば、樹脂等の絶縁材料から成る輪列受の端部を延長しそのコイルブロック上面を覆うように構成した保護構造が採用されていた。
【０００３】
【発明が解決しようとする課題】
しかし、前記従来のコイルブロック保護構造を有する電子時計には、以下のような問題点が存在していた。
（１）コイルブロック表面に絶縁材料をコーティングして保護層を形成する場合、そのコーティング工程の操業コスト、ならびにその工程の品質管理や最適制御等によるタクトタイム増加が製品のコストアップを招く。
（２）コイルブロック以外の部品（例えば、輪列受）がそのコイルブロック上面を覆うようにして保護構造を構成する場合、その部品がそのコイルブロック上面を覆うように成形した成形部品ではその保護構造の厚みを充分に薄くできないため、ムーブメントの厚みを効果的に薄くできない。
【０００４】
本発明は、前記問題点を解決すべく創案されたもので、コストアップを伴うことなく充分な強度を保持して電子時計のコイルブロック保護構造の厚みを薄くし、ムーブメントの厚みを薄くすることが可能な電子時計を提供することを課題とする。
【０００５】
【課題を解決するための手段】
本発明は、転換機を構成するコイルブロックの保護構造を有する電子時計を、コイルブロックの上面を被覆するフィルムと、このフィルムを挟持する挟持手段と、を備えるよう構成した。
【０００６】
前記発明において、前記フィルムを、電気的導通を防止するフィルムによって構成してもよい。また、前記挟持手段は、フィルムの一端を電池プラス端子と電池マイナス端子で挟持する。
【０００７】
前記発明において、前記フィルムの厚みを、０．０２５ｍｍ〜０．２ｍｍとすることが好ましい。
【０００８】
【発明の実施の形態】
以下、本発明の実施の一形態を図１、図２を参照して説明するが、本発明は下記の実施の形態に限定されるものではなく、他の実施の形態を含むものである。
【０００９】
図１に示すように、前記コイルブロック１は、電子回路ブロック６からの電気信号を回転運動に転換する転換機Ａの構成部品の一つであって、その電子回路ブロック６で生起した電気信号を受けてステータ８にパルス磁場を発生させるものである。さらに、この電子時計は、このパルス磁場によってロータ７が回転し、輪列受５に組付けられた輪列を作動させる駆動機構を備えるものである。
【００１０】
本発明のコイルブロック１の保護構造は、図２に示すように、コイルブロック１と、そのコイルブロック１の上面形状に変形自在に適合して被覆し、そのコイルブロック１を保護するフィルム２と、そのフィルム２を挟持する挟持手段Ｂとして、例えば、電池プラス端子を兼ねる回路押さえ板３の下面と電池マイナス端子４の上面とを用いた挟持手段Ｂと、から構成されている。なお、図２には、わかりやすく説明するために主要部のみを示してある。
【００１１】
（フィルム）
前記フィルム２の必要条件は、電子時計の分解組み立て時やムーブメント取扱い時に前記コイルブロック１の上部に接触しても前記コイルブロック１内のコイルの破損を防止できる前記コイルブロック１の保護機能と、前記フィルム２を挟持して保持する挟持手段Ｂを構成する部品が、例えば、電池プラス端子を兼ねる回路押さえ板３と電池マイナス端子４である場合には、これらの部品間に前記フィルム２が挿入されてこの両方の部品を電気的に絶縁する機能と、を有することである。また、前記フィルム２は、薄形状で軽く、前記コイルブロック１の形状に変形自在に適合可能なフィルムであることが好ましい。
【００１２】
前記必要条件を満たす材料として、樹脂、ゴム等が挙げられ、これらの材料の中から一つが選ばれる。例えば、ポリエチレン樹脂、ポリイミド樹脂、シリコン系樹脂、あるいはフッ素系樹脂（テフロン樹脂等）等のフィルムが挙げられ、ブタジエン・スチレンゴムやフッ素系ゴム等の合成ゴム、あるいは天然ゴム等のフィルムが挙げられる。
【００１３】
前記フィルム２の厚みは、前記コイルブロック１の上部に接触しても前記フィルム２が破れることがなく、前記コイルブロック１内のコイルの破損を防止できるだけの強度を有するコイルブロック保護機能と、前記フィルム２を挟持して保持する挟持手段Ｂを構成する部品が、例えば、回路押さえ板３と電池マイナス端子４である場合に、回路押さえ板３と電池マイナス端子４とを電気的に絶縁する機能と、が保持される範囲で、前記コイルブロック保護構造の厚みをなるべく薄くできることを必要とする。そのような必要条件を満足する前記フィルム２の厚みの範囲としては、０．０２５ｍｍ〜０．２ｍｍ程度であれば充分である。前記フィルム２の厚みが０．０２５ｍｍより薄いと、このような必要条件を備えた前記フィルムの製造が困難となるため、好ましくない。また、前記フィルム２の厚みが０．２ｍｍより厚いと、前記コイルブロック１の保護構造の厚みが厚くなり、ムーブメントの厚みを薄くする効果が著しく低下するため、好ましくない。したがって、前記フィルム２の厚みは、０．０２５ｍｍ〜０．２ｍｍ程度であることが好ましい。
【００１４】
（フィルムの挟持手段）
前記フィルム２は、前記コイルブロック１の周辺に位置する部品によって挟持されることが好ましい。前記フィルム２を挟持する部品に求められる位置的必要条件としては、図２に示すように、前記コイルブロック１の上面と同等の高さを有し、前記コイルブロック１の近傍にあり、且つ前記フィルム２を安定して保持できることが挙げられる。このような必要条件を備えた挟持部として、例えば、回路押さえ板３の下面と電池マイナス端子４の上面との間、または電池マイナス端子４の下面と輪列受５の上面との間等、が挙げられる。この中で、回路押さえ板３の下面と電池マイナス端子４の上面との間を挟持部とした場合には、回路押さえ板３と電池マイナス端子４との間に本来要求されている絶縁性をも同時に付与することができ、本発明の前記コイルブロック１の保護構造と前記絶縁性とを両立させて、効率的にムーブメントを薄形化することができる。したがって、前記フィルム２の挟持手段Ｂは、回路押さえ板３の下面と電池マイナス端子４の上面との間で構成されることが好ましい。
【００１５】
前記フィルム２の挟持部での保持手段として、接着剤を用いた接着剤保持手段、あるいは接着剤を用いず物理的接触による物理的保持手段のいずれか１つまたは両方を用いることができる。前記接着剤保持手段を採る場合には、例えば、前記フィルム２の両面に接着剤を塗布して、回路押さえ板３の下面と前記フィルム２と電池マイナス端子４の上面とをより強く接着保持させることができ、耐衝撃性にも優れたムーブメントを提供することができる。また、前記接着剤保持手段として、前記フィルム２の上面のみに接着剤を塗布し、例えば、前記フィルム２の上面と回路押さえ板３の下面とを接着保持させてもよい。あるいは、前記接着剤保持手段として、前記フィルム２が挟持部と接触する部位にのみ接着剤を塗布してもよく、例えば、前記フィルム２が回路押さえ板３の下面または電池マイナス端子４の上面と接触する部位のみに接着剤を塗布し接着保持させる手段を採ってもよい。
【００１６】
前記フィルム２の接着剤保持手段に用いられる接着剤としては、従来公知の汎用接着剤を用いることができる。例えば、エポキシ系接着剤等を用いることができる。
【００１７】
一方、物理的保持手段を採る場合には、接着剤塗布工程が省略できるためコストを低く抑えた電子時計を提供することができる。この場合、前記フィルム２が、その端部で前記挟持手段Ｂによって保持されずその下面が露出した部分で、撓まないような適度な剛性を備えた特性を有するものが要求される。前記両者の保持手段は、電子時計に要求される用途、特性、価格等のニーズに応じて適宜用いられる。
【００１８】
なお、図２に示した図では、前記コイルブロック１より右側に、前記フィルム２の挟持部が、回路押さえ板３の下面と電池マイナス端子４の上面との間で構成されたものを示し、また、前記コイルブロック１より左側に、前記フィルム２の端部が電子時計の転換機Ａ内の部品配置の制約により挟持されず、回路押さえ板３の下面と接触して成る構造を示している。このように、前記フィルム２は、その端部全域が前記挟持手段Ｂによって保持される必要はなく、前記フィルム２の端部の少なくとも一部が前記挟持手段Ｂによって保持され、さらに前記保持手段を用いることにより安定して保持できるような構成であればよい。
【００１９】
【発明の効果】
以上説明したように、本発明によれば、転換機を構成するコイルブロックの保護構造を有する電子時計であって、このコイルブロックの上面を被覆するフィルムと、このフィルムを挟持する挟持手段と、を備えることにより、コイルブロック保護構造を有する電子時計をコストアップを招くことなく容易に製造することができる効果を奏する。
【００２０】
また、本発明によれば、前記フィルムを保持する挟持部が２つの部品で構成され、その両方の部品が互いに電気的絶縁性を要求する場合に、前記フィルムを電気的導通を防止するフィルムで構成することにより、コイルブロックの保護機能と前記挟持部を構成する部品間の絶縁機能とを両立させ、コイルブロック保護構造を薄くでき、ひいてはムーブメントを薄くできるため、時計のデザイン性を高めることができる。
【００２１】
さらに、本発明によれば、前記フィルムの厚みを、０．０２５ｍｍ〜０．２ｍｍ、の範囲とすることにより、前記フィルムの挟持部を構成する部品間の絶縁機能およびコイルブロックの保護機能を充分に保持してムーブメントを薄くすることができ、優れたデザインを有する電子時計を提供することができる。
【図面の簡単な説明】
【図１】  本発明の実施の形態の一例を示した電子時計の内部の概略図である。
【図２】  本発明の実施の形態の一例を示した電子時計のコイルブロック保護構造とその周辺部を示し、図１のＣ−Ｃの破線で切断した部分の断面図である。
【符号の説明】
１          コイルブロック
２          フィルム
３          回路押さえ板（ここでは、電池プラス端子を兼ねる）
４          電池マイナス端子
５          輪列受
６          電子回路ブロック
７          ロータ
８          ステータ
Ａ          転換機
Ｂ          挟持手段
Ｃ          図２に示す切断面
【図１】
0003691303.tif 000002
【図２】
0003691303.tif 000003